(57)【要約】【課題】係留気球からなる浮揚体そのものを作業床として空中仮設することにより、仮設、解体、撤去に係る作業工程を一新し、工期短縮を含む工事コストの大幅な削減と、現場移動に係る機動性の改善を図る。【解決手段】空中仮設構造体Ｘが、空中姿勢において作業床面を創出可能な環状の骨格構造を有した係留気球からなる浮揚体１と、該浮揚体１を地上の複数の係留点から係留索３を操作して姿勢制御する動索操作手段２と、浮揚体１の作業床面（１１）に構設した手摺を含む落下防止手段５と、浮揚体１に係留され、その浮力及び空中での水平姿勢を保持するための補助気球４と、該補助気球４の係留索４１の外周に展設可能な養生ネット６を具備している。そして、補助気球４を含む浮揚体１を塔体Ｔに環装し、かつ、該塔体Ｔの外壁面に沿って昇降移動可能に保持し、その高度および／または離接を含む作業位置を確保する。【選択図】      図２
2004150091.tif 000002
【特許請求の範囲】
【請求項１】
係留気球を利用した空中仮設構造体であって、
係留気球からなる浮揚体が水平な作業床面を形成可能な骨格構造を有し、該浮揚体を空中に放逐して地上の複数の係留点から係留索を動索操作することにより空中姿勢を保持し、かつ、作業対象物に対する高度および／または離接を含む位置関係を調整してなることを特徴とする空中仮設構造体。
【請求項２】
係留気球を利用した空中仮設構造体であって、
係留気球からなる浮揚体と、該浮揚体を地上の複数の係留点から係留索を操作して姿勢制御する動索操作手段を具備し、
前記浮揚体が空中姿勢において作業床面を創出可能な骨格構造を有し、かつ、該作業床面に手摺を含む落下防止手段を搭載又は構設するとともに、浮力及び水平姿勢を保持するための補助気球を係留してなり、
地上から前記浮揚体を空中に放逐して、作業対象物に対する高度および／または離接を含む位置関係を調整するようにしたことを特徴とする空中仮設構造体。
【請求項３】
浮揚体が、足場装置、養生装置、防護マット、仮設ルーフその他の空中仮設構造体の主体として使用されるものである請求項１又は２記載の空中仮設構造体。
【請求項４】
煙突その他の塔体の補修や塗装作業に使用されるデッキ又はゴンドラその他の足場装置に代替する作業床として空中仮設される係留気球を利用した空中仮設構造体であって、
空中姿勢において作業床面を創出可能な環状の骨格構造を有した係留気球からなる浮揚体と、該浮揚体を地上の複数の係留点から係留索を操作して姿勢制御する動索操作手段と、前記浮揚体の作業床面に構設した手摺を含む落下防止手段と、前記浮揚体に係留され、その浮力及び空中での水平姿勢を保持するための補助気球と、該補助気球の係留索の外周に展設可能な養生ネットを具備し、
前記補助気球を含む浮揚体を塔体に環装し、かつ、該塔体の外壁面に沿って昇降移動可能に保持し、その高度および／または離接を含む作業位置を確保してなることを特徴とする空中仮設構造体。
【請求項５】
係留気球を利用した空中仮設構造体を用いて煙突その他の塔体の補修や塗装作業に使用される作業床を空中仮設するための空中足場構築方法であって、
請求項４記載の空中仮設構造体を補助気球とともに空中に放逐し、かつ、動索操作して塔体に環装し、該塔体の外壁面に沿って水平姿勢を維持しながら昇降移動可能に保持し、その高度および／または離接を含む作業位置を確保するようにした空中足場構築方法。
【請求項６】
補助気球の係留索の外周に養生ネットを展設するようにした請求項５記載の空中足場構築方法。
【発明の詳細な説明】
【０００１】
【発明の属する技術分野】
本発明は、係留気球を利用した空中仮設構造体、及び該空中仮設構造体を用いて煙突その他の塔体の補修や塗装作業に使用される作業床を空中仮設する空中足場構築方法に関する。なお、気球と浮揚体、足場と作業床はそれぞれ互換的に使用する。
【０００２】
【従来の技術】
従来より、気球（浮揚体に同じ。）を用いて乗りカゴ（ゴンドラ）を吊持する作業用足場の提案があった。（例えば、特許文献１参照。）
【０００３】
【特許文献１】
特開２００１−３２５３８（図１）
【０００４】
特徴的構成は、ビルの外壁工事等に用いる乗りカゴ３１を気球３０により吊持し、気球３０を牽引する横移動屋上アンカー手段２０と乗りカゴ３１を牽引する横移動地表アンカー手段１０（装置１２）  とを操作して、乗りカゴを作業予定壁面に対して横移動及び昇降移動自在に位置させる点にある。
【０００５】
ここでは、従来的なゴンドラの横方向への移動再設置作業を、ワイヤの掛け替え作業を不要として容易かつ迅速におこない、生産性を向上するとしている。
【０００６】
【発明が解決しようとする課題】
しかしながら、上記先行技術は、乗りカゴ３１は従来的なゴンドラを使用するものであり、気球は乗りカゴ（ゴンドラ）の吊持手段にすぎない。
【０００７】
こうしたなかで本発明者は、係留気球からなる浮揚体そのものを作業用足場（本発明に関し空中仮設構造体）として構築（空中仮設）し、かつ、安定保持することにより、従来的な仮設、解体、撤去に係る作業工程を一新することを企図して、発明を完成するに至った。
【０００８】
本発明はこのような事情に鑑みてなされたものであり、上記課題を解消し、係留気球を利用した空中仮設構造体、及び該空中仮設構造体を用いて煙突その他の塔体の補修や塗装作業に使用される作業床を空中仮設する空中足場構築方法を提供するものである。
【０００９】
【課題を解決するための手段】
課題を解決するために本発明は、係留気球を利用した空中仮設構造体であって、係留気球からなる浮揚体が水平な作業床面を形成可能な骨格構造を有し、該浮揚体を空中に放逐して地上の複数の係留点から係留索を動索操作することにより空中姿勢を保持し、かつ、作業対象物に対する高度および／または離接を含む位置関係を調整してなることを特徴とするものである。
【００１０】
また、上記空中仮設構造体を用いて煙突その他の塔体の補修や塗装作業に使用される作業床を空中仮設するための空中足場構築方法である。
【００１１】
【発明の実施の形態】
本発明の実施の形態は、図１に構成概要図を示すように、上記構成の係留気球からなる浮揚体１と、該浮揚体１を地上の複数の係留点から係留索３を操作して姿勢制御する動索操作手段２を具備し、浮揚体１が空中姿勢において作業床面１１を創出可能な骨格構造を有し、かつ、該作業床面１１に手摺を含む落下防止手段５を搭載又は構設するとともに、浮力及び水平姿勢を保持するための補助気球４を係留している。
【００１２】
ここで、浮揚体１は、足場装置、養生装置、防護マット、仮設ルーフその他の空中仮設構造体の主体として使用されるものである。〔図示省略〕
【００１３】
【実施例】
本発明の一実施例をを添付図面を参照して以下説明する。
【００１４】
図２は、円筒形式の煙突を作業対象物とする空中仮設構造体（以下、実施例足場装置。）の構成説明図である。
【００１５】
図示するように、実施例足場装置Ｘは、係留気球からなる浮揚体１を、煙突その他の塔体Ｔの補修や塗装作業に使用されるデッキ又はゴンドラその他の足場装置に代替する作業床（１）として空中仮設したものである。
【００１６】
具体的構成は、空中姿勢において作業床面（１１）を創出可能な環状の骨格構造を有した係留気球からなる浮揚体１と、該浮揚体１を地上の複数の係留点から係留索３を操作して姿勢制御する動索操作手段２と、浮揚体１の作業床面（１１）に構設した手摺を含む落下防止手段５と、浮揚体１に係留され、その浮力及び空中での水平姿勢を保持するための補助気球４と、該補助気球４の係留索４１の外周に展設可能な養生ネット６（例えば、飛散防止養生。）を具備している。ここで、動索操作手段２は昇降用ウィンチであり、少なくとも３箇所（図示では４箇所）に地上設置される。また、一般的な係留索３（４１）はワイヤーである。
【００１７】
上記構成の実施例足場装置Ｘの施工は、特定的な工法（本発明の空中足場構築方法）により実施することになる。
【００１８】
すなわち、環状の浮揚体１（作業床）を補助気球４とともに空中に放逐し、かつ、動索操作して塔体Ｔに環装し、該塔体Ｔの外壁面に沿って水平姿勢を維持しながら昇降移動可能に保持し、その高度および／または離接を含む作業位置を確保するようにしている。なお、養生ネット６は、補助気球４の係留索４１に固定（固縛）され、その外周に展設し、塔体Ｔを囲繞する。
【００１９】
【発明の効果】
本発明は以上の構成よりなるものであり、これによれば係留気球からなる浮揚体そのものを作業床として空中仮設するので、従来的な仮設、解体、撤去に係る作業工程を一新し、工期短縮を含む工事コストの大幅な削減と、現場移動に係る機動性の改善が図れる。
【００２０】
また、空中仮設構造体は、足場装置のみならず、養生装置、防護マット、仮設ルーフその他の空中仮設構造体の主体として使用可能であり、汎用性の点でも産業上の利用価値が高いものである。
【図面の簡単な説明】
【図１】実施形態の構成概要図である。
【図２】実施例足場装置の構成説明図である。
【符号の説明】
１  浮揚体（作業床）
１１  作業床面
２  昇降用ウィンチ〔動索操作手段〕
３  ワイヤー〔係留索〕
４  補助気球
４１  ワイヤー〔係留索〕
５  手摺〔落下防止手段〕
６  養生ネット
Ｘ  実施例足場装置〔本発明の空中仮設構造体〕
【図１】
2004150091.tif 000003
【図２】
2004150091.tif 000004